(57)【要約】【課題】球体形状の回転表示体の回転の適正化を図る。【解決手段】自転モータ軸２７が回転駆動することによって、自転駆動プーリ２６ａ、自転ベルト２６ｃ、自転従動プーリ２６ｂ、太陽歯車１４、中間歯車１７、遊星歯車１０が回転し、回転表示構造体３が図３の矢印Ｗ１で示す方向に自転し、公転モータ軸３１が回転駆動することによって、公転駆動プーリ３２ａ、公転ベルト３２ｃ、公転従動プーリ３２ｂ、支持構造体１１が回転し、回転表示構造体３が図３の矢印Ｗ２で示す方向に公転する。【選択図】図１
2006181026.tif 000002
【特許請求の範囲】
【請求項１】
球体形状の回転表示構造体を回転駆動機構で回転する遊技回転表示装置において、回転駆動機構の動力を回転表示構造体に伝達する機構がベルト機構により形成されたことを特徴とする遊技回転表示装置。
【発明の詳細な説明】
【技術分野】
【０００１】
本発明は、球体形状の回転表示体の回転が適正な遊技回転表示装置に関する。
【背景技術】
【０００２】
遊技回転表示装置には、次のような構造のものが知られている。それは、ステップモータからなる自転モータおよびステップモータからなる公転モータの動力を、複数の平歯車からなる歯車列で、球体形状の回転表示構造体に伝達して、回転表示構造体を自転および公転する構造である。しかしながら、自転モータの動力や公転モータの動力を歯車列で回転表示構造体に伝達するため、回転始動時、回転停止時、自転モータや公転モータの正逆転切替時に、回転表示構造体が振動するという欠点がある。
【特許文献１】特開平８−１９１９３６号公報
【発明の開示】
【発明が解決しようとする課題】
【０００３】
発明が解決しようとする問題点は、回転駆動機構の動力を回転表示構造体に伝達する機構が歯車列であるので、回転表示構造体の回転が不適正であるという点である。
【課題を解決するための手段】
【０００４】
本発明の遊技回転表示装置は、球体形状の回転表示構造体を回転駆動機構で回転する遊技回転表示装置において、回転駆動機構の動力を回転表示構造体に伝達する機構がベルト機構により形成されたことを最も主要な特徴とする。
【発明の効果】
【０００５】
本発明の遊技回転表示装置は、回転駆動機構の動力を回転表示構造体に伝達する機構がベルト機構により構成されているので、回転表示構造体の回転始動時、回転表示構造体の回転停止時、回転駆動機構の正逆転切替時に、回転表示構造体が振動することなく適切に回転することができるという利点がある。
【発明を実施するための最良の形態】
【０００６】
図１乃至図５は発明を実施するための最良の形態である。図１は、遊技回転表示装置１をパチンコ機の遊技盤４０に取り付けた構造を縦方向に切断した断面を示す。図２は、遊技回転表示装置１の装置躯体２と回転表示構造体３および表示灯構造体２１を分解して示す。図３は、遊技回転表示装置１の外観を分解して示す。図４は、自転ベルト機構と公転ベルト機構とを分解して示す。図５は、自転ベルト機構２６と公転ベルト機構３２の組み付けられた装置躯体の裏面を示す。
【０００７】
図３を参照し、遊技回転表示装置１の構造について説明する。遊技回転表示装置１は、装置躯体２の前側に球体形状の回転表示構造体３を自転駆動機構４および公転駆動機構５で回転可能に支持し、公転駆動機構５および自転駆動機構４で回転表示構造体３を矢印Ｗ１で示す方向に自転および矢印Ｗ２で示す方向に公転させ、回転表示構造体３の表面における複数の図柄を可変表示する構造である。自転駆動機構４および公転駆動機構５は、回転表示構造体３を回転する回転駆動機構を構成する。
【０００８】
図２を参照し、回転表示構造体３は、中空な球体形状である。回転表示構造体３には、表示軸６が、回転表示構造体３の中心部を装置躯体２の表示体収納部８の底面９と平行な方向に貫通しかつ回転可能に嵌め込まれる。回転表示構造体３から外側に突出した表示軸６の一端部には、遊星歯車１０の中心部が、回転可能に嵌め込まれる。遊星歯車１０は、回転表示構造体３の表示軸６の周りにおける外側面に固定される。遊星歯車１０よりも外側に突出した表示軸６の一端部および回転表示構造体３から外側に突出した表示軸６の他端部は、支持構造体１１の相対峙する一対の支持部１２に回転可能に嵌め込まれる。つまり、表示軸６の回転表示構造体３から外側に突出した両端部が支持構造体１１の一対の支持部１２で両支持される。支持構造体１１における一対の支持部１２から下方に突出した皿部１３は、上方から下方に窪む半球形である。
【０００９】
皿部１３の内部には、太陽歯車１４が、皿部１３の底部の側に配置される。太陽歯車１４の中心部から太陽歯車１４の裏側に突出した太陽軸１５は、皿部１３の中心部に形成された支持軸１６を皿部１３の内部から裏側に貫通しかつ回転可能に嵌め込まれる。皿部１３の内部には中間歯車１７が配置され、中間歯車１７の中心部から中間歯車１７の裏側に突出した中間軸軸１８は、皿部１３の周壁を皿部１３の内部から裏側に貫通しかつ回転可能に嵌め込まれて皿部１３のすり鉢状の周壁１９に取り付けられる。遊星歯車１０、太陽歯車１４、中間歯車１７は、傘歯車により構成される。中間歯車１７の中間歯車１７の外周部に形成された歯部は、太陽歯車１４の外周部に形成された歯部および遊星歯車の外周部に形成された歯部に噛み合わされる。つまり、太陽歯車１４が回転することによって、中間歯車１７および遊星歯車が回転し、回転表示構造体３が表示軸６を中心として表示軸６の矢印Ｗ１で示す周方向に自転する。また、支持構造体１１の支持軸１６が矢印Ｗ２で示す周方向に回転することによって、回転表示構造体３が支持構造体１１の支持軸１６を中心として表示体収納部８の底面９と平行な方向に公転する。回転表示構造体３、遊星歯車１０、太陽歯車１４、中間歯車１７、支持構造体１１は、光を透過する性質の有る合成樹脂により構成される。
【００１０】
回転表示構造体３の外側面には図柄表示体２０が一体に設けられる。図柄表示体２０は、表示シートの表面に、乳白色の基層と、基層の表面に種類の異なる複数の図柄が白色以外の色で表示される。表示シートは、熱収縮および光を透過する性質の有る無色の合成樹脂により構成される。基層および図柄は回転表示体の一表面に印刷される。複数の図柄は、例えば、「３」、「４」、「５」「６」、「７」、「８」である。「３」、「５」、「７」とが赤色である。「４」、「６」、「８」が青色である。基層および図柄が外側となるように、図柄表示体２０が筒状に形成され、この筒状に形成された図柄表示体２０が表示軸６の一端部の方向から回転表示構造体３の外側に被られた後、図柄表示体２０に熱が外側から与えられ、図柄表示体２０が熱収縮して、図柄表示体２０が回転表示構造体３の外側面に一体に設けられる。このように図柄表示体２０が回転表示構造体３の外側面に一体に設けられた場合、複数の図柄は回転表示構造体３の矢印Ｗ１で示す自転する方向に離れて縦列に配置される。
【００１１】
表示灯構造体２１は、環状の回路基板２２の前面に、複数のＬＥＤからなる表示灯２３を回路基板２２の周方向に離れて実装した構造である。表示灯２３が回転表示構造体３の方向に向けられ、回路基板２２の裏面が装置躯体２の表示体収納部８の底面９における前面に固定的に取り付けられる。表示灯構造体２１が表示体収納部８に取り付けられた後、回転表示構造体３を支持した支持構造体１１の支持軸１６が装置躯体２の前側から軸受孔部２４に挿入されることによって、回転表示構造体３が装置躯体２の前側に回転可能に配置される。遊星歯車１０、太陽歯車１４、中間歯車１７、支持構造体１１は、光を透過する性質の有る合成樹脂により形成され、回転表示構造体３を自転駆動機構４における回転表示構造体３と表示灯２３との間に配置される構造体を構成する。
【００１２】
図１を参照し、自転駆動機構４の構造、公転駆動機構５の構造、遊技回転表示装置１がパチンコ機における遊技盤４０に取り付けられた構造について説明する。自転駆動機構４は、自転モータ２５および自転ベルト機構２６を備える。自転モータ２５は、ステップモータにより構成され、自転モータ２５の出力軸を構成する自転モータ軸２７が装置躯体２から裏側に向けれ、自転モータ２５のモータケースが装置躯体２の裏側から自転モータ収納室２８に収納されて装置躯体２に固定的に取り付けられる。自転ベルト機構２６は、自転駆動プーリ２６ａと自転従動プーリ２６ｂおよび自転ベルト２６ｃからなる。自転駆動プーリ２６ａは、歯部が自転駆動プーリ２６ａの外周面に当該外周面の周方向に連続して形成された、歯付きプーリにより構成される。自転駆動プーリ２６ａの中心部が、自転モータ軸２７に嵌め込まれて固定的に取り付けられる。自転従動プーリ２６ｂは、歯部が自転従動プーリ２６ｂの外周面に当該外周面の周方向に連続して形成された、歯付きプーリにより構成される。自転従動プーリ２６ｂの直径は、自転駆動プーリ２６ａの直径よりも大きい。自転従動プーリ２６ｂの中心部が、装置躯体２から裏側に突出した太陽軸１５に嵌め込まれて固定的に取り付けられる。自転ベルト２６ｃは、合成樹脂を布のような心材に含浸させた帯状の無端形状の可撓性を有し、歯部が自転ベルト２６ｃの環状の内周面に当該内周面の周方向に連続して形成された、タイミングベルトと呼ばれる歯付きベルトにより構成される。自転ベルト２６ｃの内周面に形成された歯部が自転駆動プーリ２６ａの外周面に形成された歯部と自転従動プーリ２６ｂの外周面に形成された歯部とに噛み合わされる。そして、自転モータ軸２７が回転駆動することによって、自転駆動プーリ２６ａ、自転ベルト２６ｃ、自転従動プーリ２６ｂ、太陽歯車１４、中間歯車１７、遊星歯車１０が回転し、回転表示構造体３が図３の矢印Ｗ１で示す方向に自転する。自転駆動機構４は、自転モータ２５、自転駆動プーリ２６ａ、自転従動プーリ２６ｂ、自転ベルト２６ｃ、太陽歯車１４、中間歯車１７、遊星歯車により構成される。中心線Ｌ１は、表示軸６の軸心を示し、矢印Ｗ１で示す方向に自転の回転中心である。
【００１３】
公転駆動機構５は、公転モータ３１および公転ベルト機構３２を備える。公転モータ３１は、ステップモータにより構成され、公転モータ３１の出力軸を構成する公転モータ軸３１が装置躯体２から裏側に向けれ、公転モータ３１のモータケースが装置躯体２から裏側から公転モータ収納室３４に収納されて装置躯体２に固定的に取り付けられる。公転駆動機構５は、公転駆動プーリ３２ａと公転従動プーリ３２ｂおよび公転ベルト３２ｃからなる。公転駆動プーリ３２ａは、歯部が公転駆動プーリ３２ａの外周面に当該外周面の周方向に連続して形成された、歯付きプーリにより構成される。公転駆動プーリ３２ａの中心部が、公転モータ軸３３に嵌め込まれて固定的に取り付けられる。公転従動プーリ３２ｂは、歯部が公転従動プーリ３２ｂの外周面に当該外周面の周方向に連続して形成された、歯付きプーリにより構成される。公転従動プーリ３２ｂの直径は、公転駆動プーリ３２ａの直径よりも大きい。公転従動プーリ３２ｂの中心部が、装置躯体２から裏側に突出した支持軸１６に嵌め込まれて固定的に取り付けられる。公転ベルト３２ｃは、合成樹脂を布のような心材に含浸させた帯状の無端形状の可撓性を有し、歯部が公転ベルト３２ｃの環状の内周面に当該内周面の周方向に連続して形成された、タイミングベルトと呼ばれる歯付きベルトにより構成される。公転ベルト３２ｃの内周面に形成された歯部が公転駆動プーリ３２ａの外周面に形成された歯部と公転従動プーリ３２ｂの外周面に形成された歯部とに噛み合わされる。そして、公転モータ軸３３が回転駆動することによって、公転駆動プーリ３２ａ、公転ベルト３２ｃ、公転従動プーリ３２ｂ、支持構造体１１が回転し、回転表示構造体３が図３の矢印Ｗ２で示す方向に公転する。公転駆動機構４は、公転モータ３１、公転駆動プーリ３２ａ、公転従動プーリ３２ｂ、公転ベルト３２ｃ、支持構造体１１により構成される。自転ベルト機構２６および公転ベルト機構３２は、回転駆動機構の動力を回転表示構造体３に伝達する機構としてのベルト機構を構成する。中心線Ｌ２は、支持軸１６の軸心を示し、矢印Ｗ２で示す方向に公転の回転中心である。
【００１４】
遊技回転表示装置１が遊技盤４０に取り付けられた構造について説明すると、装置躯体２の前側には、取付躯体３７が結合される。取付躯体３７は、回転表示構造体３および支持構造体１１を内部に接触しないように格納可能な内直径を有する大きさの光を遮断する性質の有る合成樹脂からなる筒状である。そして、取付躯体３７の内部に回転表示構造体３および支持構造体１１を収納するように、取付躯体３７が回転表示構造体３の前側から装置躯体２に被せられ、取付躯体３７が装置躯体２に固定的に取り付けられる。取付躯体３７の前部には取付足３８が取付躯体３７から径方向の外側に突出する。遊技盤４０には回転表示逃孔４１が前後方向への貫通孔として形成される。そして、回転表示構造体３が遊技盤４０の裏側から回転表示逃孔４１に接触しないように挿入され、取付足３８が回転表示逃孔４１の周囲における遊技盤４０の裏面４０ｂに接触され、木ねじのような止ねじ４２が取付足３８の裏側から取付足３８を貫通して遊技盤４０に締結されることによって、取付台３７が遊技盤４０の裏面４０ｂに取り付けられる。
【００１５】
遊技盤４０の前面４０ａには、保護構造体４４が設けられる。保護構造体４４は、合成樹脂により、回転表示逃孔４１を覆い隠す大きさに形成される。保護構造体４４には、レンズ部４５、見切り部４６、フランジ部４７、合わせ部４８が設けられる。レンズ部４５は、保護構造体４４が遊技盤４０に取り付けられた場合、回転表示構造体３の前側を接触しないように覆う、裏側から前側に窪む半球形であって、光を透過する性質の有る無色である。見切り部４６は、レンズ部４５を囲み、レンズ部４５から前側に突出した後に後側に曲がる、山形に突出した筒状である。フランジ部４７は、見切り部４６を囲むように見切り部４６の外周部から外側に突出する。合わせ部４８は、フランジ部４７の裏面から裏側に突出した筒状である。
【００１６】
そして、合わせ部４８が遊技盤４０の前側からから回転表示逃孔４１を裏側に貫通し、取付躯体３７の筒状の内面に接触して嵌め合わされ、レンズ部４５が回転表示構造体３の前側に配置され、フランジ部４７の裏面が遊技盤４０の前面４０ａに接触され、木ねじのような止ねじ４９がフランジ部４７の前側からフランジ部４７を貫通して遊技盤４０に締結されることによって、保護構造体４４が遊技盤４０の前面４０ａに取り付けられる。遊技盤４０の前面４０ａには、図示は省略するが、入賞部品、多数の遊技釘、飾り部品などの遊技部品が取り付けられる。そして、遊技盤４０がパチンコ店の島と呼ばれる遊技機設置構造体に取り付けられる図外の遊技機枠に取り付けられ、遊技機枠におけるパネル枠と呼ばれる前扉が閉じたれることによって、前扉における前後方向への貫通孔しての窓を覆うガラスのような光を透過する性質の有る無色の前面パネル５０が遊技盤４０の前面４０ａの前側に配置される。前面パネル５０は、遊技盤４０の前面４０ａおよび保護構造体４４から離れている。そして、前面パネル５０と遊技盤４０の前面４０ａとの間に形成された空間５１は、遊技者が入賞部品に入賞しようとして発射したパチンコ球と呼ばれる球５２が遊技盤４０の前面４０ａに沿って上方から下方に流れる領域を構成する。前面パネル５０と見切り部４６との隙間５４は、球５２が通過できない寸法である。よって、空間５１を流下する球５２は、見切り部４６で遮られてレンズ部４５の前面に到達しない。
【００１７】
装置躯体２の表示体収納部８の内面、取付躯体３７における筒状の内面、保護構造体４４の見切り部４６の内面および合わせ部４８の内面、表示灯構造体２１における回路基板２２の前面には、光反射層５５が、白色塗料または金属メッキによって設けられる。また、表示灯構造体２１における表示灯２３は、回転表示構造体３の直径の真下または直径よりも内側に配置される。遊星歯車１０、太陽歯車１４、中間歯車１７、支持構造体１１が光を透過する性質の有る合成樹脂により構成されている。このため、表示灯２３から前側に照射された光、および、当該光の光反射層５５で反射された反射光が、遊星歯車１０、太陽歯車１４、中間歯車１７、支持構造体１１を透過して回転表示構造体３の外周面に設けられた図柄表示体２０を間接的に照明する。また、表示灯２３から前側に照射された光、および、当該光の光反射層５５で反射された反射光が、遊星歯車１０、太陽歯車１４、中間歯車１７、支持構造体１１を透過することなく、図柄表示体２０を直接的に照明する。さらには、図柄表示体２０および図柄表示体２０の表示シートが光を透過する性質の有る合成樹脂により構成されているので、図柄表示体２０を照明した光が図柄表示体２０から回転表示構造体３の内部で拡散して図柄表示体２０を回転表示構造体３の内部から照明する。よって、表示灯２３から前側に照射された光と反射光および回転表示構造体３の内部光が図柄表示体２０を外側および内側から全体的に明るくかつ鮮明に照明することができるという利点がある。
【００１８】
図４および図５を参照し、自転ベルト機構２６および公転ベルト機構３２の詳細な構造について説明する。図４において、自転ベルト機構２６は、自転テンション機構２９を備える。自転テンション機構２９は、自転テンションばね２９ａ、自転テンションプレート２９ｂ、自転テンションローラ２９ｃ、自転テンション止ねじ２９ｄを備える。自転テンションばね２９ａは、コイルスプリングにより構成される。自転テンションプレート２９ｂでは、中央部に自転テンションローラ軸２９ｅが突出して固定的に設けられ、両端部に長穴２９ｆ；２９ｇが形成される。自転テンションローラ２９ｃは、自転テンションローラ軸２９ｅに回転可能に嵌め込まれる。自転テンションローラ軸２９ｅの自転テンションローラ２９ｃより突出した先端部に、止輪２９ｈが取り付けられることによって、自転テンションローラ２９ｃが自転テンションローラ軸２９ｅに脱落しないように取り付けられる。
【００１９】
公転ベルト機構３２は、公転テンション機構３５を備える。公転テンション機構３５は、公転テンションばね３５ａ、公転テンションプレート３５ｂ、公転テンションローラ３５ｃ、公転テンション止ねじ３５ｄを備える。公転テンションばね３５ａは、コイルスプリングにより構成される。公転テンションプレート３５ｂでは、中央部に公転テンションローラ軸３５ｅが突出して固定的に設けられ、両端部に長穴３５ｆ；３５ｇが形成される。公転テンションローラ３５ｃは、公転テンションローラ軸３５ｅに回転可能に嵌め込まれる。公転テンションローラ軸３５ｅの公転テンションローラ３５ｃより突出した先端部に、止輪３５ｈが取り付けられることによって、公転テンションローラ３５ｃが公転テンションローラ軸３５ｅに脱落しないように取り付けられる。
【００２０】
自転従動プーリ２６ｂには自転位置検体３０が一体に設けられる。自転位置検体３０は、自転従動プーリ２６ｂにおける自転ベルト２６ｃを掛ける部分を区画する周縁部から径方向の外側に突出した円板状であって、図外の自転位置検出器に対する１個のスリット３０ａを有するとともに、図外の自転原点位置検出器に対する複数のスリット３０ｂを周方向に等分配置に有する。公転従動プーリ３２ｂには公転位置検体３６が一体に設けられる。公転位置検体３６は、公転従動プーリ３２ｂにおける公転ベルト３２ｃを掛ける部分を区画する周縁部から径方向の外側に突出した円板状であって、図外の公転位置検出器に対する１個のスリット３６ａを有するとともに、図外の公転原点位置検出器に対する複数のスリット３６ｂを周方向に等分配置に有する。自転位置検出器、自転原点位置検出器、公転位置検出器、公転原点位置検出器が装置躯体の裏面に取り付けられる。自転位置検出器、自転原点位置検出器、公転位置検出器、公転原点位置検出器は、発光素子からの検出光を受光素子で受け取る、光透過非接触形の検出器により構成される。
【００２１】
図５において、自転ベルト２６ｃが自転モータ軸２７に設けられた自転駆動プーリ２６ａと太陽軸１５に設けられた自転従動プーリ２６ｃとに巻き掛けられる。また、自転テンションローラ２９ｃが自転テンションローラ軸２９ｅに回転可能に取り付けられ、自転テンションばね２９ａの両端部が長穴２９ｆと装置躯体２に設けられたばね止２９ｉとに係留され、自転テンションばね２９ａが自転テンションプレート２９ｂをばね止２９ｉの方向に引っ張る。これによって、自転テンションローラ２９ｃが自転テンションばね２９ａのばね力により自転ベルト２６ｃの一部における外側面に外側から接触して当該自転ベルト２６ｃの一部を外側から内側に押し、自転ベルト２６ｃが自転テンションばね２９ａのばね力によるテンション（張力）下で自転駆動プーリ２６ａと自転従動プーリ２６および自転テンションローラ２９ｃに接触する。その後、人が自転テンション止ねじ２９ｄを装置躯体２に締結することによって、自転テンションプレート２９ｂが自転テンション止ねじ２９ｄで装置躯体２に固定される。このように、自転テンションプレート２９ｂが自転テンション止ねじ２９ｄで装置躯体２に固定された後、自転テンションばね２９ａを自転テンションプレート２９ｂとばね止２９ｉとから取り外さなくてもよいが、取り外せば、自転テンションばね２９ａが遊技回転表示装置１からなくなり、遊技回転表示装置１の構造が簡素化される。
【００２２】
公転ベルト３２ｃが公転モータ軸３３に設けられた公転駆動プーリ３２ａと支持軸１６に設けられた公転従動プーリ３２ｃとに巻き掛けられる。また、公転テンションローラ３５ｃが公転テンションローラ軸３５ｅに回転可能に取り付けられ、公転テンションばね３５ａの両端部が長穴３５ｆと装置躯体２に設けられたばね止３５ｉとに係留され、公転テンションばね３５ａが公転テンションプレート３５ｂをばね止３５ｉの方向に引っ張る。これによって、公転テンションローラ３５ｃが公転テンションばね３５ａのばね力により公転ベルト３２ｃの一部における外側面に外側から接触して当該公転ベルト３２ｃの一部を外側から内側に押し、公転ベルト３２ｃが公転テンションばね３５ａのばね力によるテンション（張力）下で公転駆動プーリ３２ａと公転従動プーリ３２ｃおよび公転テンションローラ３５ｃに接触する。その後、人が公転テンション止ねじ３５ｄを装置躯体２に締結することによって、公転テンションプレート３５ｂが公転テンション止ねじ３５ｄで装置躯体２に固定される。このように、公転テンションプレート３５ｂが公転テンション止ねじ３５ｄで装置躯体２に固定された後、公転テンションばね３５ａを公転テンションプレート３５ｂとばね止３５ｉとから取り外さなくてもよいが、取り外せば、公転テンションばね３５ａが遊技回転表示装置１からなくなり、遊技回転表示装置１の構造が簡素化される。
【００２３】
最良の形態によれば、自転駆動機構４における自転モータ２５の動力を回転表示構造体３に伝達する機構が自転ベルト機構２６により構成されているので、回転表示構造体３の回転始動時、回転表示構造体３の回転停止時、自転モータ２５の正逆転切替時に、回転表示構造体３が振動することなく適切に回転することができるという利点がある。公転駆動機構５における公転モータ３１の動力を回転表示構造体３に伝達する機構が公転ベルト機構３２により構成されているので、回転表示構造体３の回転始動時、回転表示構造体３の回転停止時、公転モータ３１の正逆転切替時に、回転表示構造体３が振動することなく適切に回転することができるという利点がある。自転ベルト２６ｃが、合成樹脂を布のような心材に含浸させた帯状の無端形状の可撓性を有する構造であるので、自転ベルト２６ｃの耐久性が高いという利点がある。公転ベルト３２ｃが、合成樹脂を布のような心材に含浸させた帯状の無端形状の可撓性を有する構造であるので、公転ベルト３２ｃの耐久性が高いという利点がある。自転ベルト２６ｃが歯付きベルトにより構成され、自転駆動プーリ２６ａおよび自転従動プーリ２６ｂが歯付きプーリにより構成されているので、自転ベルト機構２６における動力伝達が適切に行われるという利点がある。公転ベルト３２ｃが歯付きベルトにより構成され、公転駆動プーリ３２ａおよび公転従動プーリ３２ｂが歯付きプーリにより構成されているので、公転ベルト機構３２における動力伝達が適切に行われるという利点がある。自転従動プーリ２６ｂの直径が自転駆動プーリ２６ａの直径よりも小さいので、回転表示構造体３が自転モータ軸２７の回転速度よりも高速で回転するという利点がある。公転従動プーリ３２ｂの直径が公転駆動プーリ３２ａの直径よりも小さいので、回転表示構造体３が公転モータ軸３３の回転速度よりも高速で回転するという利点がある。
【産業上の利用可能性】
【００２４】
表示灯構造体２１が保護構造体４４における見切り部４６の内面に取り付けられ、表示灯２３が前側から回転表示構造体３を照明するようにしてもよい。表示灯２３を回転表示構造体３の直径よりも外側に配置されしてもよいが、表示灯２３が回転表示構造体３の直径よりも外側に配置された場合、人が遊技回転表示装置１を前側から見た場合、表示灯２３が見える。これに対し、最良の形態のように、表示灯２３が回転表示構造体３の直径の真下または直径よりも内側に配置された場合、人が遊技回転表示装置１を前側から見た場合、表示灯２３が回転表示構造体３で隠れて見えないという利点がある。
【図面の簡単な説明】
【００２５】
【図１】遊技回転表示装置の遊技盤への取付構造を示す縦断面図（最良の形態）。
【図２】遊技回転表示装置を示す分解斜視図（最良の形態）。
【図３】遊技回転表示装置を示す外観斜視図（最良の形態）。
【図４】自転ベルト機構と公転ベルト機構とを示す分解斜視図（最良の形態）。
【図５】装置躯体の裏面図（最良の形態）。
【符号の説明】
【００２６】
１    遊技回転表示装置
３    回転表示構造体
４    自転駆動機構
５    公転駆動機構
２６  自転ベルト機構
３２  公転ベルト機構
【図１】
2006181026.tif 000003
【図２】
2006181026.tif 000004
【図３】
2006181026.tif 000005
【図４】
2006181026.tif 000006
【図５】
2006181026.tif 000007